(57)【要約】【課題】自由に仕切り位置を変更させることができ、また、縦仕切り部材を目隠し用の仕切りとして使用することができる収納棚を提供する。【解決手段】上下方向に複数の水平棚１，１を平行に設けた収納棚において、水平棚１，１間に、水平移動および回転移動可能に複数の縦仕切り部材２，２を設けて構成する。【選択図】図２
2007313029.tif 000002
【特許請求の範囲】
【請求項１】
上下方向に複数の水平棚を互いに平行に設けた収納棚において、前記水平棚に水平移動および回転移動可能に縦仕切り部材を設けたことを特徴とする収納棚。
【請求項２】
前記縦仕切り部材は、その上端が上方側の水平棚より上方へ突出しているとともに、その下端は下方側の水平棚より下方へ突出していることを特徴とする収納棚。
【発明の詳細な説明】
【技術分野】
【０００１】
本発明は、収納棚に関するものである。
【背景技術】
【０００２】
従来、特許文献１に開示されているように、棚板の下方に仕切板を吊設してスライド自在にしたものが存在する。
【特許文献１】特開平７−２３６５２８号公報
【発明の開示】
【発明が解決しようとする課題】
【０００３】
上記特許文献１に開示されているような構造では、仕切板をスライドさせて水平移動させることはできるが、仕切板を目隠し用の仕切り材として使用することはできないものであった。
【課題を解決するための手段】
【０００４】
本発明は上記従来の問題点に鑑み案出したものであって、縦仕切り部材を回転させて目隠し用の仕切り材として使用することのできる収納棚を提供するものであり、その請求項１は、上下方向に複数の水平棚を互いに平行に設けた収納棚において、前記水平棚に水平移動および回転移動可能に縦仕切り部材を設けたことである。
【０００５】
また、請求項２は、前記縦仕切り部材は、その上端が上方側の水平棚より上方へ突出しているとともに、その下端は下方側の水平棚より下方へ突出していることである。
【発明の効果】
【０００６】
本発明は、上下方向に複数の水平棚を互いに平行に設けた収納棚において、前記水平棚に水平移動および回転移動可能に縦仕切り部材を設けたことにより、縦仕切り部材を水平移動させることにより、簡単且つ自由に収納棚内の仕切り位置を変更することができる。また、縦仕切り部材を回転させ、収納棚の前方側と後方側を縦仕切り部材で仕切って良好に目隠しすることができるものとなる。
【０００７】
また、前記縦仕切り部材は、その上端が上方側の水平棚より上方へ突出しているとともに、その下端は下方側の水平棚より下方へ突出していることにより、縦仕切り部材により上下方向に広い範囲で収納棚内を仕切ることができ、また、縦方向に広い範囲の目隠しとして使用することができるものとなる。
【実施例】
【０００８】
以下、本発明の実施例を図面に基づいて説明する。
図１は、収納棚内に水平に設けられている水平棚の平面構成図であり、図２は、一対の水平棚間に設けられた縦仕切り部材の正面構成図であり、また図３は、要部拡大斜視構成図である。
【０００９】
収納棚内には、複数の水平棚１，１が上下に間隔をおいて平行に設けられており、この各水平棚１，１上にそれぞれ物を置くことができるものである。本例では、水平棚１の幅方向中央部に長手方向に長く延びて上下に貫通した貫通溝１ａが設けられている。
縦仕切り部材２は、本体部２ａの上端および下端の中央部に円形断面の丸軸２ｂ，２ｂが突出形成され、上下の各丸軸２ｂの先端には、それぞれ突出部２ｃ，２ｃが一体形成されている。本体部２ａと上下の突出部２ｃ，２ｃは板状に形成されており、その幅寸法は同一に設定されている。
【００１０】
上下方向に平行な一対の水平棚１，１間に、複数枚の縦仕切り部材２を縦設することができるものであり、各縦仕切り部材２の上下の丸軸２ｂ，２ｂをそれぞれ上下の水平棚１，１の貫通孔１ａ内に嵌め込んで、上下一対の水平棚１，１間に縦仕切り部材２を立設させ、貫通溝１ａ内に嵌め込まれている丸軸２ｂを中心として各縦仕切り部材２は水平面内で自由に回転させることができ、また、貫通溝１ａに沿って横方向にスライド移動させることができるように構成されている。
従って、各縦仕切り部材２を適宜水平移動させることで、縦仕切り部材２，２間の幅を自由に変更させることができ、水平棚１上に置くものに応じて縦仕切り部材２の位置を変更できるものである。
【００１１】
また、複数の縦仕切り部材２，２，２を回転させて、それぞれ本体部２ａの幅方向端面を当接させるようにすれば、複数の縦仕切り部材２，２，２で水平棚１の幅方向中央部に目隠し用の仕切りを形成させることができ、例えば収納棚が、リビング側とキッチン側の前後両面が開放できるように構成されている場合、複数の縦仕切り部材２，２，２で内部に仕切りを形成させることにより、リビング側からキッチン側を見ることができず、またキッチン側からもリビング側を見ることができないように目隠しできるものとなる。
【００１２】
なお、図４の正面図で示すものは変更例であり、図４では、上下の水平棚１，１の対向する面にそれぞれ横方向に凹み状に凹溝１ｂ，１ｂを形成させ、各凹溝１ｂには、横方向に所定間隔で凹ませて係合凹部１ｃ，１ｃ，１ｃを形成させておき、この各係合凹部１ｃ内に係合できる出没ボール３を縦仕切り部材２の上端および下端の中央部に、例えばスプリング等で出没且つ回転自在に設けておくことにより、縦仕切り部材２の上下端にそれぞれ設けられている出没ボール３が水平棚１の凹溝１ｂに嵌まり込んだ状態で、良好に凹溝１ｂに沿って、各縦仕切り部材２は水平方向に移動させることができ、出没ボール３が係合凹部１ｃ内に嵌まり込むことで、所定位置に縦仕切り部材２を係止させることができ、また、上下の出没ボール３を中心として、水平面内で各縦仕切り部材２を回転させることができる。
各縦仕切り部材２，２を水平方向に適宜移動させて、その位置を変更することができ、また、縦仕切り部材２，２のそれぞれの幅方向端縁が当接状となるように回転させて、複数の縦仕切り部材２，２を目隠し用の仕切りとして使用することができるものとなる。
【００１３】
次に、図５〜図８に示すものは、更に異なる変更例であり、図５は平面構成図を、図６は正面構成図を示しており、また図７は、縦仕切り部材の斜視図を示し、図８は、水平棚を縦方向に切断した側面図を示している。
上下に平行な一対の水平棚１の内、上方側の水平棚１内には、下面側が開放された断面コの字状のレール４が横方向に沿って埋め込まれており、このレール４の下面中央部から垂下状に軸溝１ｄが横方向に水平棚１に形成されており、縦仕切り部材２の上端中央部には上方へ突出して丸軸２ｂが一体形成され、丸軸２ｂの上端には、丸軸２ｂよりも大径の円板部２ｄが一体形成されている。この円板部２ｄは、レール４内に回転可能に嵌め込まれる外径寸法に設定されており、また、丸軸２ｂは軸溝１ｄ内に回転可能に挿通される外径寸法に設定されている。
【００１４】
図のように、各縦仕切り部材２の円板部２ｄをレール４内に嵌め込み、丸軸２ｂを軸溝１ｄ内に嵌め込んで、上方の水平棚１の底面に吊り下げ状に各縦仕切り部材２を立設させることができ、各縦仕切り部材２は、レール４に沿って自由に横移動させることができ、また適宜位置で、良好に縦仕切り部材２の本体部２ａを水平面内で回転させることができるものである。
【００１５】
このような構成においても、自由に各縦仕切り部材２の位置を変更させて使用することができ、また、各縦仕切り部材２の幅方向端縁部がそれぞれ当接するように、各仕切り部材２を回転させて、複数の縦仕切り部材２により目隠し用の仕切りを形成させることができ、これにより、例えばキッチン側とリビング側を仕切って良好に目隠しできるものとなる。
【図面の簡単な説明】
【００１６】
【図１】第１実施例の水平棚の平面構成図である。
【図２】図１の正面構成図である。
【図３】水平棚と縦仕切り部材の組み付け状態の斜視構成図である。
【図４】第２実施例の縦仕切り部材の配置状態の正面構成図である。
【図５】第３実施例の水平棚の平面構成図である。
【図６】図５の正面構成図である。
【図７】縦仕切り部材の斜視構成図である。
【図８】水平棚の縦断面を示す側面構成図である。
【符号の説明】
【００１７】
１  水平棚
１ａ  貫通溝
１ｂ  凹溝
１ｃ  係合凹部
１ｄ  軸溝
２  縦仕切り部材
２ａ  本体部
２ｂ  丸軸
２ｃ  突出部
２ｄ  円板部
３  出没ボール
４  レール
【図１】
2007313029.tif 000003
【図２】
2007313029.tif 000004
【図３】
2007313029.tif 000005
【図４】
2007313029.tif 000006
【図５】
2007313029.tif 000007
【図６】
2007313029.tif 000008
【図７】
2007313029.tif 000009
【図８】
2007313029.tif 000010